【手続補正書】
【提出日】平成17年9月12日(2005.9.12)
【手続補正１】
【補正対象書類名】明細書
【補正対象項目名】請求項３
【補正方法】変更
【補正の内容】
【請求項３】  所定間隔でひだの折り目を有し、該折り目の１つおきに、一方側端から他方側端に伸びる山形の折り目と他方側端から一方側端に伸びる山形の折り目とを有し、さらに一方側端の表面および他方側端の裏面に接合部を設けた矩形のシート状濾材を折り目に沿ってひだ折りして、両終端同士を接合し、一方側端の外周部および他方側端の内周部にそれぞれシール部を形成してなるエアクリーナの濾過エレメントにおいて、各ひだ山の外面の対向する各平坦部間をスポット状または折り幅方向に帯状に接合するようにしたことを特徴とするエアークリーナの濾過エレメント。
【手続補正２】
【補正対象書類名】明細書
【補正対象項目名】０００２
【補正方法】変更
【補正の内容】
【０００２】
【従来技術】
従来の内燃機関用エアクリーナは、図１１のように入口パイプ１，出口パイプ２を有する有底筒状のケーシング３内に濾過エレメント１０をパッキング４を介して出口パイプ２に設けられたブリッジ５にボルト６とナット７により固定させるとともに、ケーシング３の開放端にパッキング８を介してカバー９を配置し、前記ボルト６にナット７で固定している。濾過エレメント１０は、シート状の矩形濾材１１をひだ折り加工し、菊花状に形成して筒状の濾過体１５としたものを、多孔内筒１６の周りに配設し、その上，下端に環状の端板１７、中央にボルト孔１８を有し皿状の端板１９を固着たものである。
【手続補正３】
【補正対象書類名】明細書
【補正対象項目名】０００５
【補正方法】変更
【補正の内容】
【０００５】
【発明が解決しようとする課題】
上記構造のエアクリーナにあっては、濾過エレメントの内側すなわち清浄側には内燃機関の作動に伴う負圧が作用するので、ひだ折り加工された各ひだ山は、上下端板に接着固定された部分以外のところでは、内方に移動して密着することになる。そうすると、フィルタエレメントの濾材を通過する清浄側への空気の流通が阻害されることになり、通気抵抗の上昇および実質濾過面積の減少に伴う濾過寿命の低下を招き、その結果エンジンの出力の低下をもたらすことになる。この現象は、濾材をひだ折り加工して４辺を端板でシールしてなる角型のフィルタエレメントおいても生ずるが、濾材の外径ピッチに対して内径ピッチが小さくなっている筒状の濾過エレメントの場合顕著である。
【手続補正４】
【補正対象書類名】明細書
【補正対象項目名】０００７
【補正方法】変更
【補正の内容】
【０００７】
請求項２の発明は、シート状の濾材をひだ折り加工して菊花状に形成し、両終端同士を接合して、さらに上，下端部を端板で閉塞してなるエアークリーナの濾過エレメントにおいて、各ひだ山の外面の対向する各平坦部間をスポット状または折り幅方向に帯状に接合するようにしたものであり、スポット状または折り幅方向に帯状に接合した側から空気が流通すると、外側が固定されているので、接合した部分の内側すなわちクリーン側に流路が形成され、しかも内側にひだ山がたわむことがなくクリーン側の空気の流路が常に確保される。
【手続補正５】
【補正対象書類名】明細書
【補正対象項目名】０００８
【補正方法】変更
【補正の内容】
【０００８】
請求項３の発明は、濾材の上，下端部をその上，下端で互いに齟齬するように折り幅方向の一部を残して接合部を形成するとともに、これらの接合されていない部分を、周方向にフリーの状態とし、一方側端の外周部および他方側端の内周部にシール部材を設けたもの、すなわち、所定間隔でひだの折り目を有し、該折り目の１つおきに、一方側端から他方端部に伸びる山形の折り目と他方側端から一方側端に伸びる山形の折り目とを有し、さらに一方側端の表面および他方側端の裏面に接合部を設けた矩形のシート状濾紙を折り目に沿ってひだ折りして、両終端同士を接合し、一方側端の外周部および他方側端の内周部にそれぞれシール部を形成してなるエアクリーナの濾過エレメントにおいて、各ひだ山の外面の対向する各平坦部間をスポット状または折り幅方向に帯状に接合するようにしたもので、上記作用に加えて、上，下端部にも空気が流通し、通気抵抗を低減することができる。
【手続補正６】
【補正対象書類名】明細書
【補正対象項目名】００１１
【補正方法】変更
【補正の内容】
【００１１】
【実施の形態】
図１乃至図３は、本願発明に係る濾過エレメントの第１の実施の形態およびその成形手順の一例を示すものである。濾紙や不織布等のシート状の濾材２１の表面に折り目２２が所定間隔で形成され、この折り目２２に沿ってひだ折り加工がなされ、ひだ山２３，２３が形成される。このようにして形成されたひだ山２３を元のシート状態に広げ、濾過エレメントとしての完成時に外面（ダーティ側面）側となる面で、１つのひだ山２３を形成する一方側または両方の所定位置（この実施の態様の場合濾材の幅を３等分した２箇所）に、接着剤，ホットメルト等の接合材２４がスポット状に塗布され、これを折りたたむことにより対向する面同士が互いに接合されて、固着される。次に所定山数ごとに切断され、その両終端同士が接合され濾過体２５が形成される。
【手続補正７】
【補正対象書類名】明細書
【補正対象項目名】００１４
【補正方法】変更
【補正の内容】
【００１４】
図６，７は、本願発明に係るフィルタエレメントの第３の実施の形態を示すものである。シート状の濾材５１の表面に、所定間隔でひだの折り目５２，５３を形成し、折り目５２の一方側端に、一方側端から他方側端に伸びる山形の折り目５４を形成し、さらに一方側端の表面に接合部５６を設けた矩形のシート状濾材を折り目に沿ってひだ折りしてひだ山５３を形成し、両終端同士を接合して円筒状になし、各ひだ山５３の外面の対向する各平坦部間をスポット状に接着剤またはホットメルト等の接合材５８で固定するようにして濾過体５０となし、さらに、一方側端の外周部および他方側端の端面にそれぞれシール部６１および発泡ウレタン製の端板６２を一体形成し濾過エレメント６０としたものである。６６は多孔内筒で、一方側端がフランジ状に外方へ折れ曲がっており、その外周部においてシール部６１内に、また他方側端において端板６２内にそれぞれ埋め込まれている。このような濾過エレメント６０は、ケーシングとカバー内に配設され、カバー側からの押圧力により保持される。４３は凹部で、カバー側の位置決めガイドとして作用して適切な保持がなされるようになっている。スポット状に接合した側すなわち外側（ダーティ側）から空気が流通すると、外側が固定されているので、内側にひだ山がたわむことがなくクリーン側の空気が流路が確保され、しかも、上端側部からも空気が流通して、通気抵抗を低減することができる。
【手続補正８】
【補正対象書類名】明細書
【補正対象項目名】００１５
【補正方法】変更
【補正の内容】
【００１５】
図８は、本願発明に係るフィルタエレメントの第４の実施の形態を示すもので、第３の実施の形態（図６）のものにおいて、他方側端の折り山の内径ピッチを一方側端の折り山の内径ピッチより小さくなるように形成してなる濾過体７０および濾過エレメント８０である。すなわち、他方側端の端板７２を図６のものより小径に形成するとともに多孔内筒７６としてメタルラスを用い、その形状を下すぼまり状に形成し、さらにシール部７１を介してラッパ状のエアーガイド８１が取りつけられたものである。多孔内筒７６の他方側端は、その端部が外方に曲げられており、固着強度の向上をはかっている。濾過エレメント８０の取り付けは前記第３の実施の形態と同じである。この実施の形態では、エレメントの他方側にハウジングとの間に広いスペースが形成され、空気の流れがスムーズになり、さらに上端部からも空気が流通して、通気抵抗の低減をはかることができる。
【手続補正９】
【補正対象書類名】明細書
【補正対象項目名】００１６
【補正方法】変更
【補正の内容】
【００１６】
なお、上記各実施の形態は、あらかじめ折り目を付けておき、その後折り加工を行うようにしているが、折り目を形成することなくひだ折り加工とを同時に行うようにしてもよい。また、濾過体および濾過エレメントの外面（ダーティ側）の接合材の形状はスポット状、帯状いずれでもよく、これらをひだ山の片側のみに設けても、両側に設けてもいずれでもよい。
【手続補正１０】
【補正対象書類名】明細書
【補正対象項目名】００１７
【補正方法】変更
【補正の内容】
【００１７】
図９、図１０は、第２の実施の形態における両側端および第３，４の実施の形態一方側端の濾材の折り形状を示す図で、図９は、折り目に沿って忠実に屈曲成形したもので、図１０は、曲面成形したもので、これらのいずれでもよい。
【手続補正１１】
【補正対象書類名】明細書
【補正対象項目名】符号の説明
【補正方法】変更
【補正の内容】
【符号の説明】
２０，４０，６０，８０  濾過エレメント
２１，３１，５１  濾材
２２，３２，３３，５２，５３  折り目
３４，３５，５４  山形の折り目
２３，４３，５３  ひだ山
２４，３８，５８  接合材
３６，３７，５６  接合部
２５，３０，５０，７０  濾過体
２７，２９，３９，６２，７２  端板
４１，４２，６１，７１  シール部
【手続補正１２】
【補正対象書類名】図面
【補正対象項目名】図６
【補正方法】変更
【補正の内容】
【図６】
2004209361.tif 000001